(57)【要約】【課題】  アイ部材２とフック部材５からなる前カンを用いる場合において、両者の係合位置を極めて簡単に調整でき、また、極めて簡単な構造で生産コストも安く、しかも、打ち合わせ部分に簡単に取り付けられるようにする。【解決手段】  扁平状の基材１に前カンのアイ部材２を取り付け、それをウエストサイズ調整用の部材とする。必要に応じて本調整用部材をズボンＢやスカートの打ち合わせ部分ｂに取り付けるだけで、フック部材５との係合位置を極めて簡単に調整できる。本調整用部材は扁平状の基材１と前カンのアイ部材２のみからなっているから、極めて簡単な構造で生産コストも当然安い。また、扁平状の基材１を前記打ち合わせ部分ｂに取り付けるだけで良いから、様々な方法で打ち合わせ部分ｂに簡単に取り付けることができる。【選択図】  図２
2006225773.tif 000002
【特許請求の範囲】
【請求項１】
扁平状の基材に前カンのアイ部材を取り付けたことを特徴とする調整用部材。
【請求項２】
１枚の基材に対してアイ部材が複数並べて取り付けられていることを特徴とする請求項１記載の調整用部材。
【請求項３】
基材の裏面に接着剤層が設けられていることを特徴とする請求項１又は２記載の調整用部材。
【請求項４】
接着剤がホットメルト接着剤である請求項３記載の調整用部材。
【発明の詳細な説明】
【技術分野】
【０００１】
本発明は、ズボンやスカートその他の被着体の打ち合わせ部分に取り付けられている前カンの距離を簡単に調整するために用いられる部材に関するものである。
【背景技術】
【０００２】
ズボンやスカートの打ち合わせ部分には、アイ部材とフック部材からなる前カンが取り付けられており、アイ部材にフック部材を係合させることによってウエストを固定しているが、体型の変化や食事後の胴回りの変化でウエストが窮屈になる場合がある。
【０００３】
このときのために、従来、前記ウエストサイズを調整する技術が種々提案され、また、商品化されている（例えば、特許文献１、２参照）。
【０００４】
【特許文献１】特開２００１−８７０１０号公報（第２〜３頁、第１〜２図）
【０００５】
【特許文献２】特開２００２−１７４０９号公報（第２〜３頁、第１〜２図）
【発明の開示】
【発明が解決しようとする課題】
【０００６】
これらのものは摺動レールを備え、さらに、スプリングやガイドなど多くの部材からなる本格的なものが多く、簡単な構造であるとは言えない。特に、ズボンやスカートのウエストサイズを調整するための部材は打ち合わせ部分に取り付けられるものであるから、できるだけ簡単な構造で生産コストも安くできるものであることが好ましい。また、その部材が前記打ち合わせ部分に簡単に取り付けられるものであることが望ましい。
【課題を解決するための手段】
【０００７】
そこで、本発明では、アイ部材とフック部材からなる前カンを用いる場合において、両者の係合位置を極めて簡単に調整でき、また、極めて簡単な構造で生産コストも安く、しかも、打ち合わせ部分に簡単に取り付けられるようにしたものである。すなわち、本発明では、扁平状の基材に前カンのアイ部材を取り付け、それをウエストサイズ調整用の部材としたものである。
【０００８】
必要に応じて本調整用部材をズボンやスカートの打ち合わせ部分に取り付けるだけで、フック部材との係合位置を極めて簡単に調整できる。本調整用部材は扁平状の基材と前カンのアイ部材のみからなっているから、極めて簡単な構造で生産コストも当然安い。また、扁平状の基材を前記打ち合わせ部分に取り付けるだけで良いから、様々な方法で打ち合わせ部分に簡単に取り付けることができる。
【０００９】
本調整用部材は、扁平状の基材をズボンやスカートの打ち合わせ部分に重ね合わせることによって取り付けることができるから、幅が狭くしかも小さいアイ部材をズボンやスカートの打ち合わせ部分に直接取り付ける場合に比べてさらに強力に取り付けることができる。
【００１０】
受片を用いて扁平状の基材に前カンのアイ部材を取り付ける場合の作業は、専用工具を備えている工場で行えば良いから、家庭においてその作業をする必要はなく、家庭では前カンのアイ部材を備えた本調整用部材をズボンやスカートの打ち合わせ部分に取り付ける作業を行うだけで良い。
【００１１】
１枚の基材に対してアイ部材を複数並べて取り付けておくと良い。この場合には、本調整用部材をズボンやスカートの打ち合わせ部分に１つ取り付けておくだけで、フック部材との係合位置を度々変えることができる。１枚の基材に対してアイ部材が１つだけの場合には、１回限りの調整しかできないのに比べて極めて便利である。
【００１２】
基材の裏面に接着剤層が設けられていることが望ましい。この場合には、本調整用部材を縫い付けることなく、より簡単にズボンやスカートの打ち合わせ部分に取り付けることができる。
【００１３】
接着剤をホットメルト接着剤とすると良い。この場合には、本調整用部材をアイロンその他の熱を利用して極めて簡単にズボンやスカートの打ち合わせ部分に取り付けることができる。
【発明の効果】
【００１４】
請求項１記載の発明によれば、必要に応じて本調整用部材をズボンやスカートの打ち合わせ部分に取り付けるだけで、フック部材との係合位置を極めて簡単に調整できる。この部材は扁平状の基材と前カンのアイ部材のみからなっているから、極めて簡単な構造で生産コストも当然安い。また、扁平状の基材を前記打ち合わせ部分に取り付けるだけで良いから、様々な方法で打ち合わせ部分に簡単に取り付けることができる。
【００１５】
請求項２記載の発明によれば、本調整用部材をズボンやスカートの打ち合わせ部分に１つ取り付けておくだけで、フック部材との係合位置を度々変えることができる。１枚の基材に対してアイ部材が１つだけの場合には、１回限りの調整しかできないのに比べて極めて便利である。
【００１６】
請求項３記載の発明によれば、本調整用部材をズボンやスカートの打ち合わせ部分に１つ取り付けておくだけで、フック部材との係合位置を度々変えることができる。１枚の基材に対してアイ部材が１つだけの場合には、１回限りの調整しかできないのに比べて極めて便利である。
【００１７】
請求項４記載の発明によれば、本調整用部材を縫い付けることなく、より簡単にズボンやスカートの打ち合わせ部分に取り付けることができる。
【００１８】
請求項５記載の発明によれば、本調整用部材をアイロンその他の熱を利用して極めて簡単にズボンやスカートの打ち合わせ部分に取り付けることができる。
【発明を実施するための最良の形態】
【００１９】
本発明の好ましい実施の形態を、図面に基づいて詳細に説明する。ここには、本発明の調整用部材をズボンの打ち合わせ部分に取り付け、ズボンのウエストサイズを調整するのに適用した場合を例に挙げるが、スカートの打ち合わせ部分に取り付け、スカートのウエストサイズを調整するのにも適用できる。
【００２０】
図１に、本調整用部材の一例を示す。本調整用部材は少なくとも扁平状の基材１と前カンのアイ部材２のみからなっている。アイ部材２を扁平状の基材１に取り付けるために、ここでは受片３を用いているが、前カンのアイ部材２を他の方法で扁平状の基材１に取り付けることができれば、受片３はなくても良い。例えば、縫い付けによって、あるいは、接着剤を用いるなどすれば、受片３を用いなくてもアイ部材２を扁平状の基材１に取り付けることができる。
【００２１】
ここでは、アイ部材２の２本の尖った脚片2a，2aを図１(b)に示すように扁平状の基材１を貫通させ、基材１の裏側から図１(c)に示すように受片３を添わせてその孔3a，3aに通し、その先端を折り曲げていわゆるカシメによりアイ部材２を扁平状の基材１に固定してある。
【００２２】
アイ部材２を取り付けるための扁平状の基材１は、不織布、織物、ポリエチレンその他のものからなる合成樹脂などを用いることができる。その材質は問わないが、少なくともアイ部材２を強固に取り付けることができるものであればよい。また、ここでは、扁平状の基材１の形状を最も簡単な方形状にした場合を例示したが、楕円その他様々な形にすることもできる。
【００２３】
本調整用部材Ａは、扁平状の基材１をズボンＢの打ち合わせ部分ｂに縫い付けることによって取り付けることもできるが、ここでは、基材１の裏面に接着剤層４を設け、この接着剤層４を利用して本調整用部材ＡをズボンＢの打ち合わせ部分ｂに取り付けた場合を例示してある。この接着剤層４を利用すれば、本調整用部材Ａを縫い付けることなく、より簡単にズボンＢの打ち合わせ部分ｂに取り付けることができる。特に、ホットメルト接着剤を使用した場合には、本調整用部材Ａをアイロンその他の熱を利用して極めて簡単にズボンＢの打ち合わせ部分ｂに取り付けることができる。
なお、図２に、本調整用部材Ａを縫い付けることなく、基材１の裏面に設けられた接着剤層４を利用してより簡単にズボンＢの打ち合わせ部分ｂに取り付けた場合を示す。
【００２４】
図２において、前カンのアイ部材２の通常の位置は図面符号Ｉで示す位置であるが、必要に応じてこの位置とは異なる位置に本調整用部材Ａを取り付けるだけで、前カンのフック部材５との係合位置を極めて簡単に調整できる。
【００２５】
図２において、実線で示す位置がウエスト回りを緩める場合の本調整用部材Ａの取り付け位置である。この位置に本調整用部材Ａが取り付けられている場合には、そのアイ部材２と前カンのフック部材５との係合位置を、通常の位置からウエスト回りを緩める方向に極めて簡単に調整できる。
【００２６】
逆に、ウエスト回りを細める場合には、図２において、鎖線で示す位置に本調整用部材Ａを取り付ければ良い。この位置に本調整用部材Ａが取り付けられている場合には、そのアイ部材２と前カンのフック部材５との係合位置を、通常の位置あるいはウエスト回りを緩めた位置からウエスト回りを細める方向に極めて簡単に調整できる。
【００２７】
図１、図２には、１枚の基材１に対してアイ部材２を１つ取り付けた場合を例示してあるが、図３に示すように、１枚の基材に対してアイ部材２を複数並べて取り付けておいても良い。この場合には、本調整用部材ＡをズボンＢの打ち合わせ部分ｂに１つ取り付けておくだけで、フック部材４との係合位置を複数回変えることができる。１枚の基材１に対してアイ部材１が１つだけの場合には、１回限りの調整しかできないのに比べて極めて便利である。
【００２８】
本調整用部材Ａは、扁平状の基材１をズボンＢの打ち合わせ部分ｂに重ね合わせることによって取り付けることができるから、幅が狭くしかも小さいアイ部材をズボンＢの打ち合わせ部分ｂに直接取り付ける場合に比べてさらに強力に取り付けることができる。したがって、家庭用ならびに工業用の水洗いや洗濯、ドライクリーニングに十分耐えられる。
【産業上の利用可能性】
【００２９】
好ましい実施の形態においては、本調整用部材ＡをズボンＢの打ち合わせ部分ｂに取り付け、ズボンＢのウエストサイズを調整するのに適用した場合を例示したが、スカートの打ち合わせ部分に取り付け、スカートのウエストサイズを調整するのにも適用できる。
【００３０】
また、ここには、受片３を用いてカシメによりアイ部材２を扁平状の基材１に固定した場合を例示したが、縫い付けや接着剤を利用して固定しても良い。
【００３１】
さらに、本調整用部材Ａをズボンやスカートの打ち合わせ部分に取り付けるに当って、ここには、基材１の裏面に設けられた接着剤層４を利用する場合を例示したが、基材１を単に縫い付ける場合や、接着剤としてホットメルト接着剤を利用する場合がある。
【図面の簡単な説明】
【００３２】
【図１】前カンのアイ部材をカシメにより基材に取り付けるとともに、その裏面に接着剤層を設けた本調整用部材の一例を示す拡大斜視図で、(a)はアイ部材と基材と受片とが分離された状態を、(b)はアイ部材の２本の尖った脚片を扁平状の基材を貫通させた状態を、(c)は基材の裏側から受片を添わせてその孔に通し、その先端を折り曲げていわゆるカシメによりアイ部材を基材に固定した状態を示す。
【図２】本調整用部材の使用状態の一例を示す斜視図である。
【図３】１枚の基材に対してアイ部材を複数並べて取り付けた変形例を示す斜視図である。
【符号の説明】
【００３３】
１…基材、２…アイ部材、2a…脚片、３…受片、3a…孔、４…接着剤層、５…フック部材、Ａ…調整用部材、Ｂ…ズボン、ｂ…打ち合わせ部分。
【図１】
2006225773.tif 000003
【図２】
2006225773.tif 000004
【図３】
2006225773.tif 000005
【手続補正書】
【提出日】平成17年3月2日(2005.3.2)
【手続補正１】
【補正対象書類名】明細書
【補正対象項目名】全文
【補正方法】変更
【補正の内容】
【発明の詳細な説明】
【技術分野】
【０００１】
本発明は、ズボンやスカートその他の被着体の打ち合わせ部分に取り付けられている前カンの距離を簡単に調整するために用いられる部材に関するものである。
【背景技術】
【０００２】
ズボンやスカートの打ち合わせ部分には、アイ部材とフック部材からなる前カンが取り付けられており、アイ部材にフック部材を係合させることによってウエストを固定しているが、体型の変化や食事後の胴回りの変化でウエストが窮屈になる場合がある。
【０００３】
このときのために、従来、前記ウエストサイズを調整する技術が種々提案され、また、商品化されている（例えば、特許文献１、２参照）。
【０００４】
【特許文献１】特開２００１−８７０１０号公報（第２〜３頁、第１〜２図）
【０００５】
【特許文献２】特開２００２−１７４０９号公報（第２〜３頁、第１〜２図）
【発明の開示】
【発明が解決しようとする課題】
【０００６】
これらのものは摺動レールを備え、さらに、スプリングやガイドなど多くの部材からなる本格的なものが多く、簡単な構造であるとは言えない。特に、ズボンやスカートのウエストサイズを調整するための部材は打ち合わせ部分に取り付けられるものであるから、できるだけ簡単な構造で生産コストも安くできるものであることが好ましい。また、その部材が前記打ち合わせ部分に簡単に取り付けられるものであることが望ましい。
【課題を解決するための手段】
【０００７】
そこで、本発明では、アイ部材とフック部材からなる前カンを用いる場合において、両者の係合位置を極めて簡単に調整でき、また、極めて簡単な構造で生産コストも安く、しかも、打ち合わせ部分に簡単に取り付けられるようにしたものである。すなわち、本発明では、扁平状の基材に前カンのアイ部材を取り付け、それをウエストサイズ調整用の部材としたものである。
【０００８】
必要に応じて本調整用部材をズボンやスカートの打ち合わせ部分に取り付けるだけで、フック部材との係合位置を極めて簡単に調整できる。本調整用部材は扁平状の基材と前カンのアイ部材のみからなっているから、極めて簡単な構造で生産コストも当然安い。また、扁平状の基材を前記打ち合わせ部分に取り付けるだけで良いから、様々な方法で打ち合わせ部分に簡単に取り付けることができる。
【０００９】
本調整用部材は、扁平状の基材をズボンやスカートの打ち合わせ部分に重ね合わせることによって取り付けることができるから、幅が狭くしかも小さいアイ部材をズボンやスカートの打ち合わせ部分に直接取り付ける場合に比べてさらに強力に取り付けることができる。
【００１０】
受片を用いて扁平状の基材に前カンのアイ部材を取り付ける場合の作業は、専用工具を備えている工場で行えば良いから、家庭においてその作業をする必要はなく、家庭では前カンのアイ部材を備えた本調整用部材をズボンやスカートの打ち合わせ部分に取り付ける作業を行うだけで良い。
【００１１】
１枚の基材に対してアイ部材を複数並べて取り付けておくと良い。この場合には、本調整用部材をズボンやスカートの打ち合わせ部分に１つ取り付けておくだけで、フック部材との係合位置を度々変えることができる。１枚の基材に対してアイ部材が１つだけの場合には、１回限りの調整しかできないのに比べて極めて便利である。
【００１２】
基材の裏面に接着剤層が設けられていることが望ましい。この場合には、本調整用部材を縫い付けることなく、より簡単にズボンやスカートの打ち合わせ部分に取り付けることができる。
【００１３】
接着剤をホットメルト接着剤とすると良い。この場合には、本調整用部材をアイロンその他の熱を利用して極めて簡単にズボンやスカートの打ち合わせ部分に取り付けることができる。
【発明の効果】
【００１４】
請求項１記載の発明によれば、必要に応じて本調整用部材をズボンやスカートの打ち合わせ部分に取り付けるだけで、フック部材との係合位置を極めて簡単に調整できる。この部材は扁平状の基材と前カンのアイ部材のみからなっているから、極めて簡単な構造で生産コストも当然安い。また、扁平状の基材を前記打ち合わせ部分に取り付けるだけで良いから、様々な方法で打ち合わせ部分に簡単に取り付けることができる。
【００１５】
請求項２記載の発明によれば、本調整用部材をズボンやスカートの打ち合わせ部分に１つ取り付けておくだけで、フック部材との係合位置を度々変えることができる。１枚の基材に対してアイ部材が１つだけの場合には、１回限りの調整しかできないのに比べて極めて便利である。
【００１６】
請求項３記載の発明によれば、本調整用部材を縫い付けることなく、より簡単にズボンやスカートの打ち合わせ部分に取り付けることができる。
【００１７】
請求項４記載の発明によれば、本調整用部材をアイロンその他の熱を利用して極めて簡単にズボンやスカートの打ち合わせ部分に取り付けることができる。
【発明を実施するための最良の形態】
【００１８】
本発明の好ましい実施の形態を、図面に基づいて詳細に説明する。ここには、本発明の調整用部材をズボンの打ち合わせ部分に取り付け、ズボンのウエストサイズを調整するのに適用した場合を例に挙げるが、スカートの打ち合わせ部分に取り付け、スカートのウエストサイズを調整するのにも適用できる。
【００１９】
図１に、本調整用部材の一例を示す。本調整用部材は少なくとも扁平状の基材１と前カンのアイ部材２のみからなっている。アイ部材２を扁平状の基材１に取り付けるために、ここでは受片３を用いているが、前カンのアイ部材２を他の方法で扁平状の基材１に取り付けることができれば、受片３はなくても良い。例えば、縫い付けによって、あるいは、接着剤を用いるなどすれば、受片３を用いなくてもアイ部材２を扁平状の基材１に取り付けることができる。
【００２０】
ここでは、アイ部材２の２本の尖った脚片2a，2aを図１(b)に示すように扁平状の基材１を貫通させ、基材１の裏側から図１(c)に示すように受片３を添わせてその孔3a，3aに通し、その先端を折り曲げていわゆるカシメによりアイ部材２を扁平状の基材１に固定してある。
【００２１】
アイ部材２を取り付けるための扁平状の基材１は、不織布、織物、ポリエチレンその他のものからなる合成樹脂などを用いることができる。その材質は問わないが、少なくともアイ部材２を強固に取り付けることができるものであればよい。また、ここでは、扁平状の基材１の形状を最も簡単な方形状にした場合を例示したが、楕円その他様々な形にすることもできる。
【００２２】
本調整用部材Ａは、扁平状の基材１をズボンＢの打ち合わせ部分ｂに縫い付けることによって取り付けることもできるが、ここでは、基材１の裏面に接着剤層４を設け、この接着剤層４を利用して本調整用部材ＡをズボンＢの打ち合わせ部分ｂに取り付けた場合を例示してある。この接着剤層４を利用すれば、本調整用部材Ａを縫い付けることなく、より簡単にズボンＢの打ち合わせ部分ｂに取り付けることができる。特に、ホットメルト接着剤を使用した場合には、本調整用部材Ａをアイロンその他の熱を利用して極めて簡単にズボンＢの打ち合わせ部分ｂに取り付けることができる。
なお、図２に、本調整用部材Ａを縫い付けることなく、基材１の裏面に設けられた接着剤層４を利用してより簡単にズボンＢの打ち合わせ部分ｂに取り付けた場合を示す。
【００２３】
図２において、前カンのアイ部材２の通常の位置は図面符号Ｉで示す位置であるが、必要に応じてこの位置とは異なる位置に本調整用部材Ａを取り付けるだけで、前カンのフック部材５との係合位置を極めて簡単に調整できる。
【００２４】
図２において、実線で示す位置がウエスト回りを緩める場合の本調整用部材Ａの取り付け位置である。この位置に本調整用部材Ａが取り付けられている場合には、そのアイ部材２と前カンのフック部材５との係合位置を、通常の位置からウエスト回りを緩める方向に極めて簡単に調整できる。
【００２５】
逆に、ウエスト回りを細める場合には、図２において、鎖線で示す位置に本調整用部材Ａを取り付ければ良い。この位置に本調整用部材Ａが取り付けられている場合には、そのアイ部材２と前カンのフック部材５との係合位置を、通常の位置あるいはウエスト回りを緩めた位置からウエスト回りを細める方向に極めて簡単に調整できる。
【００２６】
図１、図２には、１枚の基材１に対してアイ部材２を１つ取り付けた場合を例示してあるが、図３に示すように、１枚の基材に対してアイ部材２を複数並べて取り付けておいても良い。この場合には、本調整用部材ＡをズボンＢの打ち合わせ部分ｂに１つ取り付けておくだけで、フック部材４との係合位置を複数回変えることができる。１枚の基材１に対してアイ部材１が１つだけの場合には、１回限りの調整しかできないのに比べて極めて便利である。
【００２７】
本調整用部材Ａは、扁平状の基材１をズボンＢの打ち合わせ部分ｂに重ね合わせることによって取り付けることができるから、幅が狭くしかも小さいアイ部材をズボンＢの打ち合わせ部分ｂに直接取り付ける場合に比べてさらに強力に取り付けることができる。したがって、家庭用ならびに工業用の水洗いや洗濯、ドライクリーニングに十分耐えられる。
【産業上の利用可能性】
【００２８】
好ましい実施の形態においては、本調整用部材ＡをズボンＢの打ち合わせ部分ｂに取り付け、ズボンＢのウエストサイズを調整するのに適用した場合を例示したが、スカートの打ち合わせ部分に取り付け、スカートのウエストサイズを調整するのにも適用できる。
【００２９】
また、ここには、受片３を用いてカシメによりアイ部材２を扁平状の基材１に固定した場合を例示したが、縫い付けや接着剤を利用して固定しても良い。
【００３０】
さらに、本調整用部材Ａをズボンやスカートの打ち合わせ部分に取り付けるに当って、ここには、基材１の裏面に設けられた接着剤層４を利用する場合を例示したが、基材１を単に縫い付ける場合や、接着剤としてホットメルト接着剤を利用する場合がある。
【図面の簡単な説明】
【００３１】
【図１】前カンのアイ部材をカシメにより基材に取り付けるとともに、その裏面に接着剤層を設けた本調整用部材の一例を示す拡大斜視図で、(a)はアイ部材と基材と受片とが分離された状態を、(b)はアイ部材の２本の尖った脚片を扁平状の基材を貫通させた状態を、(c)は基材の裏側から受片を添わせてその孔に通し、その先端を折り曲げていわゆるカシメによりアイ部材を基材に固定した状態を示す。
【図２】本調整用部材の使用状態の一例を示す斜視図である。
【図３】１枚の基材に対してアイ部材を複数並べて取り付けた変形例を示す斜視図である。
【符号の説明】
【００３２】
１…基材、２…アイ部材、2a…脚片、３…受片、3a…孔、４…接着剤層、５…フック部材、Ａ…調整用部材、Ｂ…ズボン、ｂ…打ち合わせ部分。